(57)【要約】【課題】極めて簡単な構造で患者の腰部を持ち上げて楽におむつの交換をする。【解決手段】おむつ交換装置は、仰臥する患者の両側に垂直姿勢に配設できる、互いに同軸に連結してなる一対の円弧状のリング１を備えている。このリング１に両足を連結して回転させて足を持ち上げて腰部を持ち上げるようにしている。【効果】両足を固定している両側のリングを回転させて、リングを上半身に接近するように回転して腰部を持ち上げることができる。一対のリングを連結する極めて簡単な構造としながら、患者の腰部を持ち上げて、楽におむつの交換ができる。【選択図】図５
0003146732.tif 000002
【実用新案登録請求の範囲】
【請求項１】
仰臥する患者の両側に垂直姿勢に配設できる、互いに同軸に連結してなる一対の円弧状のリング(1)を備えており、このリング(1)に両足を連結して回転させて両足を持ち上げて腰部を持ち上げるようにしてなるおむつ交換装置。
【請求項２】
前記円弧状のリング(1)が、逆回転を停止するストッパ(4)を連結している請求項１に記載されるおむつ交換装置。
【請求項３】
前記円弧状のリング(1)のストッパ(4)に重り(5)を連結しており、この重り(5)でもって、リング(1)が回転してストッパ(4)の逆回転を阻止する位置に移動させる請求項２に記載されるおむつ交換装置。
【考案の詳細な説明】
【技術分野】
【０００１】
本考案は、寝たきり患者の腰部を持ち上げて、簡単におむつを交換できるようにする装置に関する。
【背景技術】
【０００２】
寝たきり患者のおむつ交換装置は開発されている。（特許文献１参照）
【特許文献１】特開平１０−２７７１０３号公報
【考案の開示】
【考案が解決しようとする課題】
【０００３】
特許文献１のおむつ交換装置を図１と図２に示している。これ等の図に示すおむつ交換装置は、ベッドの４隅の手摺９１の上に立設した４本の縦枠材９２と、縦枠材９２の上に着脱可能に取付けた前後２本の端枠材９３と、端枠材９３に着脱可能に取り付けた左右２本の横枠材９４とで枠組みし、左右２本の横枠材９４上に跨設したジャッキ支持板９５上にジャッキ等の吊上げ用駆動装置９６を立設し、この吊上げ用駆動装置９６上に横枠材９４と平行に２本の支持杆９７を設け、これら平行する支持杆９７にそれぞれ足関節吊上げ用タオル地８１を着脱可能なロープ８２及び腰吊上げ用タオル地８３を着脱可能な一対のロープ８４、８５を前後方に移動調整可能に取付け、吊上げ用駆動装置９６を駆動することによって患者を前後のタオル地によって浮上させて、おしめ取換えを可能とする。
【０００４】
この構造のおむつ交換装置は、全体の構造が極めて複雑で製造コストが極めて高くなる欠点がある。
本考案は、さらにこの欠点を解決することを目的に開発されたものである。本考案の重要な目的は、極めて簡単な構造で患者の腰部を持ち上げて楽におむつの交換ができるおむつ交換装置を提供することにある。
【課題を解決するための手段及び考案の効果】
【０００５】
本考案のおむつ交換装置は、仰臥する患者の両側に垂直姿勢に配設できる、互いに同軸に連結してなる一対の円弧状のリング１を備えている。このリング１に両足を連結して回転させて足を持ち上げて腰部を持ち上げるようにしている。
【０００６】
以上のおむつ交換装置は、両足を固定している両側のリングを回転させて、腰部を持ち上げる。リングを上半身に接近させるように回転すると、リングに固定している両足はリングの移動軌跡に沿って上昇しながら移動する。したがって、両足をリングの下部に固定して回転させると、両足がリングの移動軌跡に沿って移動して、上半身に接近しながら上昇される。両足が上昇して持ち上げられると腰部が持ち上げられる。したがって、本考案のおむつ交換装置は、リングに両足を固定し、リングを上半身に接近するように回転して両足を介して腰部を持ち上げることができる。この構造は、一対のリングを連結する極めて簡単な構造としながら、患者の腰部を持ち上げて、楽におむつの交換ができる特徴を実現する。
【０００７】
本考案のおむつ交換装置は、円弧状のリング１に、逆回転を停止するストッパ４を連結することができる。
このおむつ交換装置は、リングを回転させて腰部を持ち上げる状態でリングの逆回転を停止できる。このため、腰部を持ち上げた状態に保持できる。
【０００８】
本考案のおむつ交換装置は、円弧状のリング１のストッパ４に重り５を連結して、この重り５でもって、リング１が回転してストッパ４が逆回転するのを阻止する位置に移動させることができる。
この構造は、両足を持ち上げるようにリングを回転させると、重りの自重でストッパをリングの逆回転を阻止する位置に移動できる。このためストッパを移動することなく、リングを回転して腰部を持ち上げる位置に停止できる。
【考案を実施するための最良の形態】
【０００９】
以下、本考案の実施例を図面に基づいて説明する。ただし、以下に示す実施例は、本考案の技術思想を具体化するためのおむつ交換装置を例示するものであって、本考案はおむつ交換装置を以下のものに特定しない。
【００１０】
さらに、この明細書は、実用新案登録請求の範囲を理解しやすいように、実施例に示される部材に対応する番号を、「実用新案登録請求の範囲」および「課題を解決するための手段の欄」に示される部材に付記している。ただ、実用新案登録請求の範囲に示される部材を、実施例の部材に特定するものでは決してない。
【００１１】
図３ないし図５は、おむつ交換装置が患者の両足を持ち上げて、腰部を持ち上げる状態を示している。図３は両足の足首をリング１に固定する状態を示している。図４はリング１を上半身側に接近するように回転する状態を示し、図５はリング１を回転して両足を持ち上げて腰部を持ち上げる状態を示している。図５に示すように、リング１で両足が持ち上げられて腰部が持ち上げられる。
【００１２】
図６の斜視図に示すおむつ交換装置は、仰臥する患者の両側に垂直姿勢に配設できる、互いに同軸に連結してなる一対の円弧状のリング１を備える。リング１は、回転して両足を持ち上げて腰部を持ち上げることからできる直径、たとえば４０〜６０ｃｍとする円形で、図７の断面図に示すように、内側に沿ってガイド溝３ができるように、横断面形状をコ字状の溝型としている。このリング１は、ガイド溝３の開口部１０を内側としている。
【００１３】
図のおむつ交換装置は、両側のリング１の複数カ所を連結ロッド２で連結している。連結ロッド２は、リング１を回転して両足を持ち上げるときに邪魔にならない位置に設けられる。図のおむつ交換装置は、リング１の４カ所を連結ロッド２で連結しているが、２又は３カ所、あるいは５カ所以上を連結ロッドで連結することもできる。また、連結ロッドは、リングに沿って移動できるように、その両端をリングに連結することもできる。この連結ロッドは、両端にリングを挿通する連結筒を固定している。この連結筒にリングを挿通してリングに移動できるように連結される。この連結ロッドは、リングを回転して邪魔になるとき、リングに沿って移動できる。
【００１４】
さらに、図６に示す連結ロッド２は、中間で折曲して折り畳みできる構造としている。図に示す連結ロッド２は、２本の分割ロッド２Ａを折り畳みできるように折曲部２ａを介して連結すると共に、分割ロッド２Ａの反対側の端部も折曲部２ｂを介してリング１に連結している。折曲部２ａは、２本の分割ロッド２Ａを互いに積層する方向に折り畳みできる構造としている。折曲部２ｂは、分割ロッド２Ａをリング１の内側方向に折り畳みできる構造としている。図の折曲部２ａ、２ｂは、互いの連結部をピンを介して回動できるように連結している。ただ、折曲部には、図示しないが、蝶番や関節球等の連結部を互いに折曲できるように連結する他の全ての構造が使用できる。
【００１５】
さらに、連結ロッド２は、使用時において、２本の分割ロッド２Ａを直線状に伸ばした姿勢に保持するために、その連結部である折曲部２ａをカバーするスライド筒１２を挿通している。図のスライド筒１２は、分割ロッド２Ａに対して軸方向にスライドできるように、分割ロッド２Ａの外形とほぼ等しい、あるいはやや大きい内形の筒体としている。さらに、スライド筒１２は、２本の分割ロッド２Ａの連結部である折曲部２ａをカバーする位置で停止できるように、位置決連結具１３を介して停止できる構造としている。図に示す位置決連結具１３は、スライド筒１２の一端に設けた磁石１３Ａである。磁石１３Ａである位置決連結具１３は、たとえば、鉄製の分割ロッド２Ａに挿通されるスライド筒１２を、磁石１３Ａの磁力で分割ロッド２に吸着させて、自由な位置に停止できる。ただ、磁石である位置決連結具は、スライド筒に固定することなく、分割ロッドの折曲部の近傍に配置して、鉄製のスライド筒を磁石の磁力で吸着して停止させることもできる。さらに、鉄製でなく、アルミ等の軽量金属製の分割ロッドやスライド筒においては、磁石である位置決連結具を吸着させる部分にのみ、鉄製の吸着部や磁石を配置して位置決連結具を吸着させることもできる。さらに、位置決連結具は、磁石によらず、ネジ止めや、係止構造、凹凸による脱着構造等の種々の連結構造で、スライド筒を分割ロッドの定位置で停止させることもできる。
【００１６】
以上の構造のおむつ交換装置は、使用しないときには、スライド筒１２を折曲部２ａから移動させて、連結ロッド２を折曲部２ａで折曲すると共に、連結ロッドを折曲部２ｂで折曲し、一対のリング１を互いに接近する方向にコンパクトに折り畳みできる。また、使用状態においては、連結ロッド２を折曲部２ａで展開して、一対のリング１を離れる方向に広げると共に、スライド筒１２を折曲部２ａをカバーする位置に移動させて、連結ロッド２が折曲部２ａで折曲されないようにする。
【００１７】
さらに、図６のおむつ交換装置は、リング１の回転を停止するストッパ４をリング１に連結している。ストッパ４は、リング１の外側に設けられて、リング１の逆転を阻止する。図のストッパ４は、リング１の逆転方向に上り勾配のくさび状としている。ストッパ４は、図８に示すように、リング１を回転して自重でリング１の逆転を阻止する位置に移動できるように重り５に連結している。重り５はリング１の内側に配設されて、リング１が回転されると、それ自体の自重で最下部に移動する。この重り５をリング１に沿って移動させるために、重り５には、リング１に沿う曲率半径で湾曲する円弧ロッド６を連結している。円弧ロッド６は、リング１の内側に設けているガイド溝３に案内されて、このガイド溝３に沿って自由に移動する形状としている。ガイド溝３は、開口部１０の幅を狭くして、内部に配置する円弧ロッド６を外れないように案内している。ストッパ４は、連結部７を介して円弧ロッド６に連結している。
【００１８】
さらに、円弧ロッド６は、先端部にグリップ８を連結している。グリップ８は、連結部９を介して円弧ロッド６に連結している。グリップ８はリング１の外側に突出している。グリップ８をリング１の外側に突出させるために、リング１の内側に設けたガイド溝３の開口部１０に、グリップ８と円弧ロッド６とを連結する連結部９を配設すると共に、この連結部９をリング１の内側から外側まで延長して、リング１の外側においてグリップ８を連結部９に連結している。連結部９は、ガイド溝３の開口部１０に配設される部分の幅を狭くして、この開口部１０に移動できるように案内している。
【００１９】
以上のストッパ４は、グリップ８を握ってストッパ４をリング１に沿って移動できる。すなわち、ストッパ４がリング１を停止しない方向に移動できる。おむつ交換装置は、両足を連結しているリング１を引き寄せて両足を上昇し、これによって腰部を上昇して、おむつを交換した後は、リング１を逆転させて両足を降下させて腰部を下げる必要がある。リング１を逆転させるときは、グリップ８を握り、ストッパ４がリング１の回転を阻止しない位置まで移動させる。この状態で、リング１を逆転して両足を下げて、腰部を下げることができる。
【００２０】
一対のリング１は、その内側に、結束バンド１１でもって、両足の足首を固定する。結束バンド１１は、先端に押しつけて外れないように連結できるマジックテープ（登録商標）で連結して、簡単に両足の足首をリング１に固定できる。ただし、結束バンドは、中間を足首に巻き付け、その両端部をリングに結びつけて両足をリングに固定することもできる。さらに、結束バンドは、幅の広いシートとして、足首と足の裏に巻き付け、これをリングに連結して両足をリングに固定することもできる。さらに、結束バンドは、足首に巻き付けてリングに両足を固定することもできる。また、結束バンドは、足の裏をリングの内側や連結ロッドの上に載せる状態として、足先部をリングや連結ロッドに結束して固定することもできる。
【００２１】
以上のおむつ交換装置は以下のようにして使用する。
（１）図３に示すように、仰臥する患者の両足の膝を曲げた状態で、結束バンド１１で足首をリング１の下部に固定する。この状態で、仰臥した患者が自分で、あるいは看護士がリング１を患者に接近させる方向に回転する。リング１が回転されると、図４に示すように、リング１に固定された両足が持ち上げられる。
【００２２】
（２）さらに、リング１を回転させると、図５に示すように、リング１に固定された両足が患者の胸部に接近しながら足首がさらに持ち上げられる。この姿勢になると、患者の腰部が持ち上げられる。
【００２３】
（３）リング１が回転されると、重り５が自重でリング１の最下部に移動する。重り５がこの位置に移動して、ストッパ４はリング１を逆転させない位置に移動する。したがって、腰部を上昇させた位置でリング１を停止できる。この状態でおむつを交換する。
【００２４】
（４）おむつを交換した後、グリップ８を握って、ストッパ４を逆転できる方向に移動させる。リング１を逆転できる状態として、リング１を逆転して両足を降下して、腰部を降下させる。この状態で両足をリング１から外す。
【図面の簡単な説明】
【００２５】
【図１】従来のおむつ交換装置の側面図である。
【図２】図１に示すおむつ交換装置の正面図である。
【図３】本考案の一実施例にかかるおむつ交換装置の使用例を示す側面図である。
【図４】本考案の一実施例にかかるおむつ交換装置の使用例を示す側面図である。
【図５】本考案の一実施例にかかるおむつ交換装置の使用例を示す側面図である。
【図６】本考案の一実施例にかかるおむつ交換装置の斜視図である。
【図７】図６に示すおむつ交換装置のリングの横断面図である。
【図８】図６に示すおむつ交換装置のリングの縦断面図である。
【符号の説明】
【００２６】
１…リング
２…連結ロッド                  ２Ａ…分割ロッド
２ａ…折曲部
２ｂ…折曲部
３…ガイド溝
４…ストッパ
５…重り
６…円弧ロッド
７…連結部
８…グリップ
９…連結部
１０…開口部
１１…結束バンド
１２…スライド筒
１３…位置決保持部              １３Ａ…磁石
８１…足関節吊上げ用タオル地
８２…ロープ
８３…腰吊上げ用タオル地
８４…ロープ
８５…ロープ
９１…手摺
９２…縦枠材
９３…端枠材
９４…横枠材
９５…ジャッキ支持板
９６…吊上げ用駆動装置
９７…支持杆
【図１】
0003146732.tif 000003
【図２】
0003146732.tif 000004
【図３】
0003146732.tif 000005
【図４】
0003146732.tif 000006
【図５】
0003146732.tif 000007
【図６】
0003146732.tif 000008
【図７】
0003146732.tif 000009
【図８】
0003146732.tif 000010